(57)【特許請求の範囲】
【請求項１】
噴射用媒体および粉状内容物がハウジング内部の定量室に流入する粉状内容物用定量バルブ機構において、
前記定量室の入口側の流入弁および出口側の流出弁として作用するステムと、
前記定量室の内下側部分に当該ステムを取り囲む態様で設定された内側筒状部と、
当該内側筒状部の外側の環状空間域からなる前記粉状内容物の凹状収納部と、
当該凹状収納部の下方に設けられて、前記ステムとともに前記流入弁の作用を呈する第１の弁部材と、
前記凹状収納部の底面を構成するハウジング底部と、その下方の当該第１の弁部材との間に設定された下側空間域と、
当該下側空間域から連続する形で前記ステムと前記内側筒状部との間に設定された流入用径路と、
当該流入用径路とは別に設定されて、前記下側空間域から前記凹状収納部にいたるバイパス径路と、
を備えていることを特徴とする粉状内容物用定量バルブ機構。
【請求項２】
前記凹状収納部に、前記粉状内容物の攪拌用部材を、その下動位置のときには前記バイパス経路の出口部分を塞ぐかたちで設けた、
ことを特徴とする請求項１記載の粉状内容物用定量バルブ機構。
【請求項３】
前記バイパス経路または前記凹状収納部の一部に、前記噴射用媒体の流れの下流側の方にのみ開く第２の弁部材を設けた、
ことを特徴とする請求項１記載の粉状内容物用定量バルブ機構。
【請求項４】
前記バイパス経路または前記凹状収納部の一部に、前記噴射用媒体の通過を許容するフィルタを設けた、
ことを特徴とする請求項１記載の粉状内容物用定量バルブ機構。
【請求項５】
前記第１の弁部材は、
前記流入弁として作用する上流側シール弁と、
前記ステムとともに、前記粉状内容物の落下防止用逆止弁として作用する下流側シール弁と、
を有する単一の弁部材である、
ことを特徴とする請求項１乃至４のいずれかに記載の粉状内容物用定量バルブ機構。
【請求項６】
噴射用媒体および粉状内容物がハウジング内部の定量室に流入する粉状内容物用定量バルブ機構において、
前記定量室の入口側の流入弁および出口側の流出弁として作用するステムと、
前記定量室の内下側部分に当該ステムを取り囲む態様で設定された内側筒状部と、
当該内側筒状部の外側の環状空間域からなる前記粉状内容物の凹状収納部と、
当該凹状収納部の下方に設けられて、前記ステムとともに前記流入弁の作用を呈する弁部材と、
前記凹状収納部の底面を構成するハウジング底部と、その下方の当該弁部材との間に設定された下側空間域と、
当該下側空間域から連続する形で前記ステムと前記内側筒状部との間に設定された流入用径路とを備え、
前記内側筒状部は、
前記ステムの長手方向に移動可能であって筒状またはコイル状の粉状内容物攪拌用部材である、
ことを特徴とする粉状内容物用定量バルブ機構。
【請求項７】
前記弁部材は、
前記流入弁として作用する上流側シール弁と、
前記ステムとともに、前記粉状内容物の落下防止用逆止弁として作用する下流側シール弁と、
を有する単一の弁部材である、
ことを特徴とする請求項６記載の粉状内容物用定量バルブ機構。
【発明の詳細な説明】
【０００１】
【発明の属する技術分野】
本発明は、ハウジング内部の定量室に収容した化粧品や薬品などの粉状内容物を外部に噴射するための定量バルブ機構に関し、特に定量室に形成し凹状収納部に噴射用媒体（例えば噴射用ガス）を直接流入させるためのバイパス経路を設け、さらには凹状収納部の粉状内容物に対する攪拌用部材を設けたものである。
【０００２】
また、この攪拌用部材を凹状収納部のステム側周面体として兼用するようにしたものである。
【０００３】
また、定量室より上流の経路部分にステム外周面用のシール弁を設けることによって、静止モード時の定量室内の粉状内容物が容器側にその自重で落下することがないようにしたものである。
【０００４】
【従来の技術】
図１２は、従来の粉状内容物用定量バルブ機構を示している。
【０００５】
図１２において、40は定量バルブ機構、41はステム、41ａはステム41の通路、41ｂはステム41に形成した噴射用孔部、41ｃはステム41の下端部、42はハウジング、42ａはハウジング42の定量室、42ｂはハウジング42の外側筒状部、42ｃはハウジング42に形成した内側筒状部、42ｄはハウジング42の底部分、43は外側筒状部42ｂ、底部分42ｄ、内側筒状部42ｃに囲まれた凹状収納部、44はハウジング42内に取り付けたステム付勢用のスプリング、45はステム41とハウジング42の内側筒状部42ｃとの間の本経路、46はカップゴム、46ａはカップゴム46のテーパ面、47はカップゴムのテーパ面46ａとステムの下端部41ｃとの間の狭間部、48はブッシュ、49はブッシュ48とカップゴム46との間の空間部、50は吸上管、51はステムラバー、52は樹脂リング、53はアウターガスケット、54はマウンテンキャップをそれぞれ示している。
【０００６】
定量バルブ機構40は、利用者の一回操作ごとに定量室42ａに収容されている粉状内容物を外部に噴射するものである。したがって、一回の操作で一定量の粉状内容物を噴射させるような用途に有効であり、例えば制汗剤や外用薬などにも使用されている。
【０００７】
図１２に示すように、定量バルブ機構40には、ハウジング42が、マウンテンキャップ54の内側にステムラバー51や樹脂リング52を挟んだ状態で取り付けられている。また、ハウジング42の底面42ｄにはステム41に沿ったかたちで上方に伸びる内側筒状部42ｃを形成しているので、ハウジング42の外側筒状部42ｂ、底面42ｄ及び内側筒状部42ｃに囲まれた凹状収納部43が形成されている。
【０００８】
静止モードでは、ステム41はスプリング44で上方へ付勢されて、ステム41の噴射用孔部41ｂがステムラバー51で閉塞されている。
【０００９】
容器（図示省略）に収納された粉状内容物は、噴射用ガスとともに、吸上管50−ブッシュ48とカップゴム46との間の空間部49−カップゴム46のテーパ面46ａとステム41の下端部41ｃとの間の狭間部47を通り、ハウジング42の内側筒状部42ｃとステム41との間の本経路45からハウジング42の定量室42ａに流入して凹状収納部43などに貯留される。
【００１０】
定量室42ａとその上流側（空間部49など）との圧力が均衡するとそれ以上の粉状粉状内容物は定量室42ａに流入しない。
【００１１】
定量バルブ機構40を粉状内容物流入後の静止モードで長時間放置しておくと、比重が大きい粉末成分はハウジング42の下方に沈降して凹状収納部43に溜まり、定量室42ａの粉状内容物などは層状に分離した状態となる。
【００１２】
また、定量室42ａの粉状内容物は、内側筒状部42ｃが形成されているので容器側に移動しにくいとはいえ、この粉状内容物の本経路45からの自重落下を確実に防止することはできない。
【００１３】
使用モードでは、操作ボタン（図示省略）の押し下げ動作によってステム41がスプリング44の付勢に抗して下降し、噴射用孔部41ｂがステムラバー51から開放されるので、定量室42ａに貯留されていた粉状内容物は、ステム41の噴射用孔部41ｂや通路41ａを通って外部に噴射される。
【００１４】
このとき、ステム41の下端部41ｃはカップゴム46のテーパ面46ａに強く押圧して両者は密接し、ハウジング42の定量室42ａは空間部49と遮断された状態となるので、定量室42ａに貯留されていた粉状内容物のみが噴射される。
【００１５】
【発明が解決しようとする課題】
このように、従来の定量バルブ機構を比較的長時間放置した後に噴射すると、比重が大きい粉状内容物（例えば粉末成分）は凹状収納部に淀んだ状態となっているので、まず定量室の上側のガス成分などの噴射用媒体が噴射され、次に凹状収納部に溜まっている粉末成分が噴射される現象、いわゆる二噴射現象を起こすという問題点があった。
【００１６】
また、静止モードのとき、定量室に流入済の粉状内容物の一部が、自重のためステム回りの隙間部分（本経路）からその上流の容器側に落下するという問題点があった。
【００１７】
そこで、本発明では噴射用媒体を凹状収納部に直接流入させるためのバイパス経路を形成して、凹状収納部に溜まった比重の大きい粉状内容物を噴射用媒体の作用で積極的に送出し、さらには凹状収納部に設けた粉状内容物攪拌用部材で定量室全体の粉状内容物を混合して、噴射時の粉状内容物の流れを円滑にすることを目的とする。
【００１８】
また、定量室のいわば入口側部分に新たなシール弁を設けて、静止モード時に、定量室内の粉状内容物が容器側にその自重で落下しないようにすることを目的とする。
【００１９】
本発明は、以上の課題を次のようにして解決する。
（１）噴射用媒体および粉状内容物がハウジング内部の定量室（例えば後述の定量室12a）に流入する粉状内容物用定量バルブ機構において、
前記定量室の入口側の流入弁および出口側の流出弁として作用するステム（例えば後述のステム11）と、
前記定量室の内下側部分に当該ステムを取り囲む態様で設定された内側筒状部（例えば後述の内側筒状部12c,コイル状スプリング17）と、
当該内側筒状部の外側の環状空間域からなる前記粉状内容物の凹状収納部（例えば後述の）凹状収納部13,15）と、
当該凹状収納部の下方に設けられて、前記ステムとともに前記流入弁の作用を呈する第１の弁部材（例えば後述のカップゴム23,弁部材35,36）と、
前記凹状収納部の底面を構成するハウジング底部（例えば後述の底部12d）と、その下方の当該第１の弁部材との間に設定された下側空間域と、
当該下側空間域から連続する形で前記ステムと前記内側筒状部との間に設定された流入用径路（例えば後述の本径路20）と、
当該流入用径路とは別に設定されて、前記下側空間域から前記凹状収納部にいたるバイパス径路（例えば後述の孔部13a,バイパス径路19,19a',スリット21）と、
を備えている。
（２）上記（１）において
前記凹状収納部に、前記粉状内容物の攪拌用部材（例えば後述のコイル状スプリング17）を、その下動位置のときには前記バイパス経路（例えば後述の孔部13a）の出口部分を塞ぐかたちで設ける。
（３）上記（１）において、
前記バイパス経路または前記凹状収納部の一部に、前記噴射用媒体の流れの下流側の方にのみ開く第２の弁部材を設ける。
（４）上記（１）において、
前記バイパス経路または前記凹状収納部の一部に、前記噴射用媒体の通過を許容するフィルタを設ける。
（５）上記（１）〜（４）において、
前記第１の弁部材（例えば後述の弁部材35,36）は、
前記流入弁として作用する上流側シール弁（例えば後述の上流側シール弁35b,36b）と、
前記ステムとともに、前記粉状内容物の落下防止用逆止弁として作用する下流側シール弁（例えば後述の下流側シール弁35a,36a）と、
を有する単一の弁部材である。
（６）噴射用媒体および粉状内容物がハウジング内部の定量室（例えば後述の定量室12a）に流入する粉状内容物用定量バルブ機構において、
前記定量室の入口側の流入弁および出口側の流出弁として作用するステム（例えば後述のステム11）と、
前記定量室の内下側部分に当該ステムを取り囲む態様で設定された内側筒状部と、
当該内側筒状部の外側の環状空間域からなる前記粉状内容物の凹状収納部（例えば後述の）凹状収納部13,15）と、
当該凹状収納部の下方に設けられて、前記ステムとともに前記流入弁の作用を呈する弁部材（例えば後述のカップゴム23,弁部材35,36）と、
前記凹状収納部の底面を構成するハウジング底部（例えば後述の底部12d）と、その下方の当該弁部材との間に設定された下側空間域と、
当該下側空間域から連続する形で前記ステムと前記内側筒状部との間に設定された流入用径路（例えば後述の本径路20）とを備え、
前記内側筒状部は、
前記ステムの長手方向に移動可能であって筒状またはコイル状の粉状内容物攪拌用部材（例えば後述のコイル状スプリング17）である。
（７）上記（６）において
前記弁部材は、
前記流入弁として作用する上流側シール弁（例えば後述の上流側シール弁35b,36b）と、
前記ステムとともに、前記粉状内容物の落下防止用逆止弁として作用する下流側シール弁（例えば後述の下流側シール弁35a,36a）と、
を有する単一の弁部材である。
【００２０】
本発明によれば、上記（１）のように、噴射操作時に噴射用媒体がバイパス経路から凹状収納部に直接流入するので、凹状収納部に貯留されていた粉状粉状内容物が積極的に送出されて、定量室の粉状内容物は全体として十分な混合状態になる。
【００２１】
また、上記（２）のように、容器を振ることなどにより、粉状内容物の攪拌用部材が凹状収納部を移動するので、その中の粉状内容物は上記バイパス経路による噴射用媒体の作用と相まって略均一な混合状態で噴射される。
【００２２】
一方、定量バルブ機構の静置状態のときは、攪拌用部材がバイパス経路の出口部分を塞ぐので、凹状収納部に入った粉状内容物はそこに確実に留まる。
【００２３】
また、上記（３）のように、バイパス経路または凹状収納部の一部に設けた弁が噴射用媒体の流れの下流側の方にのみ開くので、噴射用媒体や粉状内容物は弁の上流側から凹状収納部に流入でき、一方、凹状収納部に貯留された粉状内容物が当該上流側に戻ることはない。
【００２４】
また、上記（４）のように、噴射用媒体はフィルタを通過してその上流側から凹状収納部に流入でき、一方、凹状収納部に貯留された粉状内容物はフィルタを通過しにくく、当該上流側に戻ることは少ない。
【００２５】
また、上記（６）のように、粉状内容物の攪拌用部材を凹状収納部のステム側周面体としても用いている。
【００２６】
この場合、容器を振るなどして粉状内容物の攪拌用部材を上動させると、それまで凹状収納部に入っていた粉状内容物が攪拌されるとともに、噴射用媒体がこの凹状収納部に流入するので、噴射に先立ち、定量室全体の粉状内容物は十分な混合状態になる。
【００２７】
また、上記（５），（７）のように、定量室より上流の経路部分に、粉状内容物が当該定量室から落下することを防ぐための下流側シール弁を新たに設けているので、静止モード時の定量室に収容される（次回噴射対象の）粉状内容物の量は十分なものとなる。
【００２８】
【発明の実施の形態】
図１乃至図１１を用いて本発明の実施の形態を説明する。
【００２９】
図１，図３, 図５, 図６, 図７および図１０のそれぞれにおいて、（ａ）は静止モードを示し、（ｂ）は使用モードを示している。
【００３０】
ここで、
図１は、凹状収納部へのトンネル形態のバイパス経路を形成した定量バルブ機構を示し、
図２は、図１の定量バルブ機構の噴射開始時の噴射用ガスの流れを示し、
図３は、凹状収納部へのスリット形態のバイパス経路を形成した定量バルブ機構（その１）を示し、
図４は、図３の定量バルブ機構の噴射開始時の噴射用ガスの流れを示し、
図５は、凹状収納部へのスリット形態のバイパス経路を形成した定量バルブ機構（その２）を示し、
図６は、凹状収納部へのスリット形態のバイパス経路を形成した定量バルブ機構（その３）を示し、
図７は、凹状収納部のステム側周面体としてコイル状の粉状内容物攪拌用部材を兼用した定量バルブ機構を示し、
図８は、粉状内容物の落下防止用の新たな弁部材を定量室の上流の経路部分に設けた定量バルブ機構（その１）を示し、
図９は、粉状内容物の落下防止用の新たな弁部材を定量室の上流の経路部分に設けた定量バルブ機構（その２）を示し、
図１０は、粉状内容物の落下防止用の新たな弁部材を定量室の上流の経路部分に設けた定量バルブ機構（その３）を示し、
図１１は、図９の定量バルブ機構で用いた新たな弁部材を示している。
【００３１】
これらの図において、
10は定量バルブ機構，
11はステム，11ａはステムの通路，11ｂはステムに形成した噴射用孔部，11ｃはステムの外周面，11ｄはステムの下端部，
12はハウジング，12ａはハウジング内部の定量室，12ｂはハウジングの外側筒状部，12ｃは定量室を構成する内側筒状部，12ｄはハウジングの底部，
13はハウジング12の外側筒状部12ｂ・底部12ｄ・内側筒状部12ｃに囲まれた凹状収納部（図１乃至図６, 図８参照）, 13ａは底部12ｄに形成した孔部（バイパス経路の一部），
14はハウジング12の内側に間欠的に形成したリブ，
15はハウジング12の外側筒状部12ｂ・底部12ｄ・リブ14および後述のコイル状スプリング17に囲まれた凹状収納部（図７参照），
16はステムを上方向に付勢するスプリング，
17は凹状収納部13，15に設けた粉状内容物攪拌用のコイル状スプリング（コイル状の粉状内容物攪拌用部材），17ａはコイル状スプリングの下側端部，
18は凹状収納部13に設けた粉状内容物攪拌用のコマ（筒状の粉状内容物攪拌用部材），18ａはコマの内面，18ｂはコマの底面，
19および19′は凹状収納部13の孔部13ａと後述の空間部26とを直結する（放射状の溝からなる）トンネル形態のバイパス経路，
20はステム11の外周面11ｃとハウジング12の内側筒状部12ｃとの間の本経路，
21はハウジング12の内側筒状部12ｃに形成したものであって本経路20と凹状収納部13とを直結する任意幅のスリット（バイパス経路），
22はハウジング12のステム通過用孔部とステムの外周面11ｃとの間の通路，
23はカップゴム，23ａは下方側の径が狭くなるように形成したテーパ面，
24はカップゴム23のテーパ面23ａとステム11の下端部11ｄとの間の狭間部，
25はブッシュ，
26は粉状内容物を収納した容器内部（図示省略）と連通している空間部，
27は吸上管，
28はステムラバー，
29は樹脂リング，
30はアウターガスケット，
31はマウンテンキャップ，
35はステム11の外周面に対する環状の弁部材，35ａは定量室12ａの粉状内容物がその自重で本経路20を通って空間部26の方へ落下することを防ぐためのスカート状の下流側シール弁、35ｂは使用モード時に粉状内容物が空間部26から定量室12ａに流入することを防ぐための逆スカート状の上流側シール弁，35ｃはハウジング12とブッシュ25との間に固定される被挟持部，
36はステム11の外周面に対する環状の弁部材，36ａは鍔状の下流側シール弁，36ｂは逆スカート状の上流側シール弁，36ｃはハウジング12とブッシュ25との間に固定される被挟持部，36ｅは溝部，36ｅは上面が被挟持部36ｃのそれと同一の高さ面となる凸状部，
をそれぞれ示している。なお、弁部材35，36にはポリエチレンなどの合成樹脂やゴム状のものを用いる。
【００３２】
図１に示すように、定量室12ａを備えたハウジング12は、ステムラバー28や樹脂リング29を挟んだ状態でマウンテンキャップ31に取り付けられている。ハウジング12の内部には、ステム11を囲むかたちで内側筒状部12ｃを設け、この内側筒状部12ｃと外側筒状部12ｂおよび底部12ｄとで凹状収納部13を形成している。
【００３３】
そして、凹状収納部13の下端部にはバイパス経路の一部としての孔部13ａが形成され、この孔部は曲折したバイパス経路19により空間部26に連通している。また凹状収納部13には、凹状収納部13内や定量室12ａ内を上下動可能な粉状内容物攪拌用のコイル状スプリング17が設けられている。なお、コイル状スプリング17が下動した位置では、この端部17ａが凹状収納部の孔部13ａを閉塞する。
【００３４】
また、ハウジング12の下方には、下方ほど径が狭くなるテーパ面23ａを形成したカップゴム23がブッシュ25によって取り付けられている。ステム11が最も上動したときには、ステム11の下端部11ｄとカップゴム23のテーパ面23ａとの間に狭間部24が形成され、定量室12ａと空間部26（容器側）は、ステム11の外周面11ｃとハウジング12の内側筒状部12ｃとの間の本経路20や、ハウジング底部12ｄの13ａおよびバイパス経路19を介して連通する。
【００３５】
そして、ステム11が下動して噴射用孔部11ｂがステムラバー28から開放されたときには、ステム11の下端部11ｄとカップゴム23のテーパ面23ａとは面接触して狭間部24は完全に閉塞するので、定量室12ａと空間部26と（容器側）の連通状態は遮断される。
【００３６】
図１（ａ）に示すように、操作釦（図示省略）を押圧していない静止モードでは、ステム11はスプリング16によって上方に付勢されて噴射用孔部11ｂをステムラバー28が閉塞するので、定量室12ａの粉状内容物は外部に噴射されない。
【００３７】
定量室12ａに粉状内容物が収容されるのは、前回の操作終了時にステム11が静止モードに復帰する際に、定量室12ａ内部の圧力が容器（図示省略）のそれより低くなって、容器中の粉状内容物および噴射用ガスが吸上管27、空間部26、本経路20やバイパス経路19を通って移動するからである。
【００３８】
静止モードのまま長時間放置すると、比重の大きい粉状内容物は沈降して凹状収納部13に入り込み、定量室12ａの粉状内容物は層状に分離した状態となる。このとき、コイル状スプリング17は自重で落下してその端部17ａが凹状収納部13の孔部13ａを閉塞した状態になっているので、粉状内容物がこの孔部からバイパス経路19を通って空間部26（容器側）に移動することはない。
【００３９】
容器全体を振ると、コイル状スプリング17が上下方向に動いて凹状収納部13の内側壁面に付着した粉状内容物を擦り取り、また、凹状収納部13で淀んだ状態になっている粉状内容物を定量室12ａに分散させる。
【００４０】
図２に示すように、操作釦を押圧していくと、ステム11がスプリング16の付勢力に抗して下動し、噴射用孔部11ｂがステムラバー51からわずかに外れる。このとき、カップゴム23のテーパ面23ａは下方向に径が狭くなっているので、ステム11の外周面11ｃはカップゴム23のテーパ面23ａに密接する。
【００４１】
この密接後の定量室12ａおよびその下側のカップゴム23までの閉空間部分の圧力は外気のそれよりも高いので、ステム11の噴射用孔部11ｂが少し開くことによって当該定量室および当該閉空間部分には噴射用ガスの流れが生じ、これが本経路20のみならずバイパス経路19からも流入するので、凹状収納部13に溜まっていた粉状内容物は定量室12ａの下流側に送出される。
【００４２】
そして、前述の攪拌作用と相まって定量室12ａの粉状内容物や噴射用ガスを混合した状態にする。
【００４３】
図１（ｂ）に示すように、さらに操作釦を押圧していき噴射用孔部11ｂがステムラバー28から完全に開放されると、定量室12ａの粉状内容物はステム11の通路11ａを経て外部に移動する。
【００４４】
一方、ステム11はカップゴム23のテーパ面23ａと緊密に面接触して狭間部24が完全に閉塞するので定量室12ａと空間部26は遮断され、粉状内容物が定量室12ａに流入することはない。
【００４５】
操作釦の押圧をやめると、ステム11はスプリング16の付勢によって上方に移動する。前述のように、定量室12ａの内部は粉状内容物の噴射により減圧状態になっており、粉状内容物が、容器−吸上管27−空間部26−カップゴム23のテーパ面23ａとステム11の下端部11ｄとの間の狭間部24を経た上で本経路20や、バイパス経路19および孔部13ａを通って定量室12ａに流入する。
【００４６】
なお、図１の定量バルブ機構10において攪拌用のコイル状スプリング17を省略してもよく、その場合、凹状収納部13で淀んでいる粉状内容物は、ステム11が下動する際にバイパス経路19および孔部13ａから流入する噴射用ガス成分によって下流側に送出され、定量室12ａの粉状内容物や噴射用ガスを混合した状態にする。また、バイパス経路19は曲折しているので静止モードでも定量室12ａの粉状内容物は空間部26（容器側）に移動しにくい。
【００４７】
また、凹状収納部13に噴射用ガスを流入させるとともに当該収納部からの粉状粉状内容物の落下を防止する弁部材やフィルタを、孔部13ａやバイパス経路19の任意の位置に設けてもよい。
【００４８】
さらには、弁部材やフィルタなども用いずに、カップゴム23の上面を外側ほど低くなるようなテーパ状にして凹状収納部13の孔部13ａから落下する粉状内容物をこのテーパ状凹部に貯留し、粉状内容物が空間部26（容器側）に移動するのを防止してもよい。
【００４９】
また、これらの攪拌用部材や弁部材，フィルタ，テーパ状凹部などを任意の組み合わせで併用してもよい。
【００５０】
図３の定量バルブ機構は、凹状収納部13の攪拌用部材としてコマ18を用い、ハウジング12の内側筒状部12ｃにバイパス経路としての複数の縦方向のスリット21を形成している。他の構成要素は図１と同様である。
【００５１】
したがって、ステム11の外周面11ｃとハウジング12の内側筒状部12ｃとの間の本経路20は、スリット21を介して凹状収納部13に連通している。また、攪拌用のコマ18は定量室12ａ内を上下動可能であるが、下動位置ではコマ18の内面18ａがスリット21を閉塞する。
【００５２】
図３（ａ）に示すように、静止モードの初期では、容器内の粉状内容物がステム11の下端部11ｄとカップゴム23のテーパ面23ａとの狭間部24から本経路20や21を通って定量室12ａに流入する。
【００５３】
この流入後の安定状態では、攪拌用のコマ18は確実に落下してその内面18ａでスリット21を閉塞するため、凹状収納部13の粉状内容物が当該スリットを経由して空間部26（容器側）に移動することはない。
【００５４】
上述のように、静止モードのまま長時間放置すると、比重の大きい粉状内容物は沈降して凹状収納部13に入り込み、定量室12ａの粉状内容物は層状に分離した状態となる。
【００５５】
使用前に容器を振ると、攪拌用のコマ18が上下方向に動き、凹状収納部13の内壁に付着したものも含めてその中に貯留された粉状内容物を攪拌し、定量室12ａの下流側などに分散させる。
【００５６】
この状態で、図４に示すように操作釦を押圧すると、ステム11の噴射用孔部11ｂが少し開くことによって定量室12およびその下側のカップ23までの閉空間部分に上述のガス流が生じ、これが本経路20のみならずスリット21からも凹状収納部13に流入する。
【００５７】
このとき、攪拌用のコマ18は、まだ凹状収納部13の最下部まで入り込んでいないので当該ガス流によって上動する。凹状収納部13に溜まっていた粉状内容物は、このガス流と上記攪拌作用により下流側に確実に送出される。
【００５８】
図３（ｂ）に示すように、使用モードでは、噴射用孔部11ｂがステムラバー28から開放されて開き、一方、ステム11の外周面11ｃとカップゴム23のテーパ面23ａとの間の狭間部24は完全に閉塞するので、定量室12ａの混合された粉状内容物のみが外部に噴射される。
【００５９】
図５の定量バルブ機構では、スリット21を図３のそれよりも内側筒状部12ｃの下方側に形成し、図６の定量バルブ機構では、ハウジング12の内側筒状部12ｃと底部12ｄにスリット21を形成している。
【００６０】
図５, 図６の定量バルブ機構は、使用時にコマ18を動かして凹状収納部13の下方側から噴射用ガスを流入させ、ここに溜まっている粉状内容物を下流側に送って定量室12ａの粉状内容物や噴射用ガスと混合するようにしたものである。
【００６１】
静止モードでは、図３の場合と同様に攪拌用のコマ18が自重によって落下し、その内面18ａや底面18ｂでスリット21を閉塞するので、凹状収納部13の粉状内容物が当該スリットを経由して空間部26（容器側）に移動することはない。
【００６２】
容器を振ってから操作釦を押圧すると、上述のように、スリット21を通った噴射用ガス成分が凹状収納部13の下方側から流入して攪拌用のコマ18を上動させ、凹状収納部13に溜まった粉状内容物を定量室12ａの上部空間に送る。
【００６３】
噴射用ガス成分は凹状収納部13の下方側から流入するので凹状収納部13に溜まっている粉状内容物を効率良く定量室12ａの上部空間に送ることができる。
【００６４】
図７は、ハウジング12に形成したリブ14の段部にステム付勢用のスプリング16を設け、リブ14とステム11の外周面11ｃとの間に攪拌用のコイル状スプリング17を設けたものである。コイル状スプリング17は凹状収納部のステム側周面体としても作用する。
【００６５】
図７(a) の静止モードでは、粉状内容物が定量室12ａに収容され、コイル状スプリング17が自重によって落下した状態になっている。
【００６６】
粉状内容物が定量室12ａに収容されているのは、前回の操作終了時に定量室12ａの内部圧力が容器本体側よりも低くなって容器の粉状内容物が吸上管27−空間部26−狭間部24−通路22のルートにより移動するからである。
【００６７】
静止モードのまま長時間放置すると、比重の大きい粉状内容物は沈降して複数のリブ14とコイル状スプリング17に囲まれた凹状収納部15に入り込み、定量室12ａの粉状内容物は層状に分離した状態となる。このとき、コイル状スプリング17は落下しているので、凹状収納部15の粉状内容物が空間部26（容器側）に移動することはない。
【００６８】
容器を振って操作釦を押圧すると、コイル状スプリング17が上動して粉状内容物を攪拌し、また、ステム11の噴射用孔部11ｂが少し開くことによって定量室12ａに上述のような噴射用ガスの流れが生じるとともに、噴射用ガス成分が通路22からも流入する。この噴射用ガスはコイル状スプリング17を上動させる。
【００６９】
これにより、凹状収納部15に溜まっていた粉状内容物は定量室12ａの上部空間側に送出され、上述の攪拌作用と相まって定量室12ａの粉状内容物や噴射用ガスが混合状態となる。
【００７０】
図７(b) の使用モードでは、噴射用孔部11ｂがステムラバー28から開放され、一方、ステム11の外周面11ｃとカップゴム23のテーパ面23ａとの間の狭間部24は完全に閉塞するので、定量室12ａの粉状内容物が外部に噴射される。
【００７１】
図８および図９の定量バルブ機構は、例えば図１におけるカップゴム23を環状の弁部材35, 36に変更するとともに、バイパス19を省略してハウジング底部12ｄのステム側部分の形態を少し変えたものである。両図はそれぞれ静止モードを示している。
【００７２】
図１０の定量バルブ機構は、図１におけるカップゴム23を環状の弁部材35に変更するとともに、バイパス19の形態を少し変えたものである。
【００７３】
この弁部材35, 36は、定量室12ａの粉状内容物が本経路20を通って空間部26の方へ落下することを防ぐためのスカート状の下流側シール弁35ａ, 36ａと、使用モード時に粉状内容物が空間部26から定量室12ａに流入することを防ぐための逆スカート状の上流側シール弁35ｂ，36ｂとを有している。下流側シール弁35ａ, 36ａおよび上流側シール弁35ｂ，36ｂの内面はそれぞれテーパ状である。
【００７４】
図８，図９および図１０(a) の静止モードでは、下流側シール弁35ａ, 36ａがステム11の外周面に密接しているので、定量室12ａの粉状内容物が空間部26まで移動することはない。なお、上流側シール弁35ｂ，36ｂはステム11の外周面から離れている。
【００７５】
下流側シール弁35ａ, 36ａは、定量室12ａの粉状内容物の重みや噴射用ガスの圧力を受けたとしてもいっそうステム外周面の方に変形するだけである。
【００７６】
もっとも使用モードから静止モードへの切換初期などで、定量室12ａよりも空間部26などの容器側の方の噴射用ガスの圧力が大きい場合には、この圧力差のため下流側シール弁35ａ, 36ａがステム11の外周面から離れて、容器側（空間部26の側）の粉状内容物が定量室12ａに流入する。
【００７７】
図１０(b) の使用モードでは、下流側シール弁35ａおよび上流側シール弁35ｂの双方がステム11の外周面に密接しているので、容器側（空間部26の側）の粉状内容物が定量室12ａに流入することはない。
【００７８】
図９および図１１の弁部材36は、その下流側シール弁36ａの上面部分が、図８の下流側シール弁35ａのそれとは違って、被挟持部36ｃや凸状部36ｅの上面よりも低くなっている。
【００７９】
そのため、図９の場合とは異なって、図１乃至図７と同一形状のハウジング12の底部12ｄで被挟持部36ｃおよび凸状部36ｅを挟むようにしても、粉状粉状内容物の下流側シール弁36ａがステム11の外周面から離れるように変形するだけのスペースを確保できる。
【００８０】
当然のことながら、図１０の定量バルブ機構や、これにおいて図１１の弁部材を用いたものはともに図１の定量バルブ機構の上記機能を併せ持っている。
【００８１】
なお、下流側シール弁35ａ, 36ａおよび上流側シール弁35ｂ, 36b は上述のように粉状内容物の落下防止および流入防止を図るためのシール弁であり、それぞれの内面をテーパ状にするかどうかや、全体の形状をどのようにするかは任意である。
【００８２】
また、弁部材35,36 の全体を、下流側シール弁35ａ, 36ａの上部分と上流側シール弁35ｂ, 36b の下部分とに分割するかたちで作成してもよい。
【００８３】
また、このような弁部材35,36 が図３乃至図７の定量バルブ機構にも適用でき、その場合に、適用後の定量バルブ機構がもともとの上記機能を併せ持つことは勿論である。
【００８４】
【発明の効果】
本発明では、このように、噴射操作時に噴射用媒体がバイパス経路から凹状収納部に直接流入するので、凹状収納部に貯留されていた粉状の粉状内容物を積極的に送出し、ハウジングの定量室内の粉状内容物や噴射用媒体を十分に混合してから外部空間に安定した状態で連続的に噴射することができる。
【００８５】
また、粉状内容物の攪拌用部材の作用も相まって、定量室内の粉状内容物や噴射用媒体を略均一に混合し、粉状内容物などをより安定した状態で連続的に噴射することができる。
【００８６】
また、定量バルブ機構を静置したときには、攪拌用部材がバイパス経路の出口部分を塞ぐので、凹状収納部に貯留された粉状の粉状内容物が容器側に移動することがなく、次回の操作で噴射する一定量の粉状内容物を確実に定量室内に留めておくことができる。
【００８７】
また、バイパス経路または凹状収納部の一部に弁部材やフィルタを設けたので、その上流側からの噴射用媒体や粉状内容物は凹状収納部に流入できるようにするとともに、凹状収納部に貯留された粉状内容物が上流の容器側に移動することを阻止できる。
【００８８】
また、攪拌用部材を凹状収納部の構成要素としても用いているので、粉状内容物用定量バルブ機構の構成部品数や製造コストの削減化を図ることができる。
【００８９】
また、定量室より上流の経路部分に、粉状内容物が当該定量室から落下することを防ぐための下流側シール弁を新たに設けているので、静止モード時の定量室に収容される（次回噴射対象の）粉状内容物の量は十分なものとすることができる。
【図面の簡単な説明】
【図１】本発明の、凹状収納部へのトンネル形態のバイパス経路を形成した定量バルブ機構を示す説明図である。（ａ）は静止モードを示し、（ｂ）は使用モードを示している。
【図２】本発明の、図１の定量バルブ機構の噴射開始時の噴射用ガスの流れを示す説明図である。
【図３】本発明の、凹状収納部へのスリット形態のバイパス経路を形成した定量バルブ機構（その１）を示す説明図である。（ａ）は静止モードを示し、（ｂ）は使用モードを示している。
【図４】本発明の、図３の定量バルブ機構の噴射開始時の噴射用ガスの流れを示す説明図である。
【図５】本発明の、凹状収納部へのスリット形態のバイパス経路を形成した定量バルブ機構（その２）を示す説明図である。（ａ）は静止モードを示し、（ｂ）は使用モードを示している。
【図６】本発明の、凹状収納部へのスリット形態のバイパス経路を形成した定量バルブ機構（その３）を示す説明図である。（ａ）は静止モードを示し、（ｂ）は使用モードを示している。
【図７】本発明の、凹状収納部のステム側周面体としてコイル状の粉状内容物攪拌用部材を兼用した定量バルブ機構を示す説明図である。（ａ）は静止モードを示し、（ｂ）は使用モードを示している。
【図８】本発明の、粉状内容物の落下防止用の新たな弁部材を定量室の上流経路部分に設けた定量バルブ機構（その１）を示す説明図である。
【図９】本発明の、粉状内容物の落下防止用の新たな弁部材を定量室の上流経路部分に設けた定量バルブ機構（その２）を示す説明図である。
【図１０】本発明の、粉状内容物の落下防止用の新たな弁部材を定量室の上流経路部分に設けた定量バルブ機構（その３）を示す説明図である。図１の定量バルブ機構に対応し、（ａ）は静止モードを示し、（ｂ）は使用モードを示している。
【図１１】本発明の、図９の定量バルブ機構で用いた新たな弁部材を示す説明図である。
【図１２】従来の、粉状内容物用定量バルブ機構を示す説明図である。
【符号の説明】
10：定量バルブ機構
11：ステム
11ａ：通路
11ｂ：噴射用孔部
11ｃ：外周面
11ｄ：下端部
12：ハウジング
12ａ：定量室
12ｂ：外側筒状部
12ｃ：内側筒状部
12ｄ：底部
13：凹状収納部（図１乃至図６, 図８乃至図１０参照）
13ａ：孔部（バイパス経路の一部）
14：リブ
15：凹状収納部（図７参照）
16：スプリング
17：粉状内容物攪拌用のコイル状スプリング
17ａ：下側端部
18：粉状内容物攪拌用のコマ
18ａ：内面
18ｂ：底面
19および19′
：トンネル形態のバイパス経路
20：本経路
21：スリット（バイパス経路）
22：通路
23：カップゴム
23ａ：テーパ面
24：狭間部
25：ブッシュ
26：空間部
27：吸上管
28：ステムラバー
29：樹脂リング
30：アウターガスケット
31：マウンテンキャップ
35：環状の弁部材
35ａ：スカート状の下流側シール弁
35ｂ：逆スカート状の上流側シール弁
35ｃ：被挟持部
36：環状の弁部材
36ａ：鍔状の下流側シール弁
36ｂ：逆スカート状の上流側シール弁
36ｃ：被挟持部
36ｅ：溝部
36ｅ：凸状部
40：定量バルブ機構
41：ステム
41a ：通路
41b ：噴射用孔部
41c ：下端部
42：ハウジング
42a ：定量室
42b ：外側筒状部
42c ：内側筒状部
42d ：底面
43：凹状収納部
44：スプリング
45：本経路
46：カップゴム
46a ：テーパ面
47：狭間部
48：ブッシュ
49：空間部
50：吸上管
51：ステムラバー
52：樹脂リング
53：アウターガスケット
54：マウンテンキャップ
【図１】
0004716459.tif 000002
【図２】
0004716459.tif 000003
【図３】
0004716459.tif 000004
【図４】
0004716459.tif 000005
【図５】
0004716459.tif 000006
【図６】
0004716459.tif 000007
【図７】
0004716459.tif 000008
【図８】
0004716459.tif 000009
【図９】
0004716459.tif 000010
【図１０】
0004716459.tif 000011
【図１１】
0004716459.tif 000012
【図１２】
0004716459.tif 000013